(57)【特許請求の範囲】
【請求項１】
ディスプレイ装置であって：
画像を形成するディスプレイモジュール；
前記ディスプレイモジュールの前面枠と後面をそれぞれ覆う前面カバーおよび後面カバー；
前記前面カバーと前記後面カバーとの間に配置され、前記前面カバーの前面枠を形成するように、前記前面カバーと前記後面カバーとの間のベゼル開口部から露出されたベゼル部；および、
前記ベゼル部の内部に配置され、前記ベゼル部により当該ディスプレイ装置の前面に誘導される光を発光する動作を、ユーザーによって操作されるユーザーインターフェース装置と連動して行う発光体；を具備し、
前記ベゼル部は、半透明材質から形成された半透明部を含み、前記ベゼル部の材質内を通って臨界角より大きな入射角度で空気層との第１の境界面に達した前記光が、当該ディスプレイ装置の外側に発散されるように誘導する、
ことを特徴とするディスプレイ装置。
【請求項２】
前記発光体は、光源として帯光源体と点光源体からなる群から選択された少なくとも一つを含むことを特徴とする、請求項１に記載のディスプレイ装置。
【請求項３】
前記帯光源体は、ＥＬ（Ｅｌｅｃｔｒｏ  Ｌｕｍｉｎａｎｃｅ）シートと光繊維からなる群から選択された少なくとも一つを含むことを特徴とする、請求項２に記載のディスプレイ装置。
【請求項４】
前記ベゼル部は、色調変化を示すために半透明材料で形成された半透明部と、光の透過を容易にするために透明材料で形成された透明部と、を含み、前記半透明部は、前記透明部の前面に配置されることを特徴とする、請求項１に記載のディスプレイ装置。
【請求項５】
前記半透明部は、光透過率差によって色調変化を誘導するための厚さ変化部を含むことを特徴とする、請求項４に記載のディスプレイ装置。
【請求項６】
前記厚さ変化部の厚さは、前記ベゼル部の外側方向に行くほど漸次減少することを特徴とする、請求項５に記載のディスプレイ装置。
【請求項７】
前記ベゼル部は前記前面カバーと一体に成形されることを特徴とする、請求項６に記載のディスプレイ装置。
【請求項８】
前記ベゼル部において、前記発光体から発光された前記光を前記前面カバーの前面に誘導するために、前記第１の境界面が、前記光の反射面として面取り成形されていることを含むことを特徴とする、請求項６に記載のディスプレイ装置。
【請求項９】
前記反射面は前記ベゼル部の外郭に設けられることを特徴とする、請求項８に記載のディスプレイ装置。
【請求項１０】
前記ベゼル部は、前記発光体から発光された前記光が前記ディスプレイモジュールに到逹することを防止するために、空気層との間の第２の境界面における前記光の反射と散乱により前記光が前記ディスプレイモジュールに到逹することを防止するように、前記光の光遮断溝として面取り成形されていることを含むことを特徴とする、請求項７に記載のディスプレイ装置。
【請求項１１】
前記光遮断溝は前記ベゼル部の内側に設けられることを特徴とする、請求項１０に記載のディスプレイ装置。
【請求項１２】
ディスプレイ装置の制御方法であって、前記ディスプレイ装置は、
画像を形成するディスプレイモジュールと、
ユーザーがユーザー命令を入力するためのユーザーインターフェース部と、
前記ディスプレイモジュールの前面枠と後面をそれぞれ覆う前面カバーおよび後面カバーと、
前記前面カバーと前記後面カバーとの間に配置され、前記前面カバーの前面枠を形成するように、前記前面カバーと前記後面カバーとの間のベゼル開口部から露出されたベゼル部と、
前記ベゼル部の内部に配置され、前記ベゼル部により当該ディスプレイ装置の前面に誘導される光を発光する動作を、既に設定された発光モードに従って行う発光体と
を含み、前記ディスプレイ装置の制御方法において、
前記ユーザー命令を受信すること、
前記ユーザー命令が行われるように制御すること、及び
前記ユーザー命令が前記発光モードの所定値に対応すると、前記発光体の発光動作が行われるように制御することを含み、
前記ベゼル部は、半透明材質から形成された半透明部を含み、前記ベゼル部の材質内を通って臨界角より大きな入射角度で空気層との第１の境界面に達した前記光が当該ディスプレイ装置の外側に発散されるように誘導する、
ことを特徴とするディスプレイ装置の制御方法。
【請求項１３】
前記発光モードは、前記ディスプレイモジュールを操作するための情報を前記ディスプレイモジュール上に表示するためのオンスクリーンディスプレイ部を通して表示されたメニュー項目の選択によって選択されることを特徴とする、請求項１２に記載のディスプレイ装置の制御方法。
【請求項１４】
前記発光モードは、
電源が前記ディスプレイ装置に供給される間に前記発光体が発光する第１のモード；
前記ディスプレイモジュールが動作する間に前記発光体が発光する第２のモード；及び
ユーザーによって前記ディスプレイ装置を操作するための信号が入力される度に前記発光体が一時的に点滅する第３のモード；
からなる群から選択された少なくとも一つを含むことを特徴とする、請求項１３に記載のディスプレイ装置の制御方法。
【発明の詳細な説明】
【技術分野】
【０００１】
本発明は、発光体を含むことによって外観が向上したディスプレイ装置及びその制御方法に関するものである。
【背景技術】
【０００２】
ディスプレイ装置は画面に画像を表示する。代表的なディスプレイ装置の例としてはＬＣＤ（Ｌｉｑｕｉｄ  Ｃｒｙｓｔａｌ  Ｄｉｓｐｌａｙ）やＰＤＰ（Ｐｌａｓｍａ  Ｄｉｓｐｌａｙ  Ｐａｎｅｌ）がある。
【０００３】
一般に、ディスプレイ装置は、画像を形成するためのディスプレイモジュールと、ディスプレイモジュールの前面枠を覆う前面カバーと、ディスプレイモジュールの後方を覆う後面カバーとを含んで構成される。
【０００４】
最近は、ディスプレイ装置の高級化とともに、ディスプレイ装置の基本的な性能のみならず、ユーザーの美的感覚を充足させるためのデザインが強調されている。
【０００５】
ディスプレイ装置の前面部は最もよくユーザーの目につく部分であるので、ディスプレイ装置の前面部をどのようにデザインするかによって製品のイメージが大きく変わる。そのため、製品の高級なイメージをユーザーに提供するためには、ディスプレイ装置の前面部の外観を向上させなければならない。
【０００６】
ディスプレイ装置の前面部の外観を向上させるために、高級な仕上げ材料が使用されたり、別途に光沢を出す作業が行われる。
【発明の概要】
【発明が解決しようとする課題】
【０００７】
本発明は、外観デザインが改善されたディスプレイ装置を提供するものである。
【０００８】
本発明は、特にユーザーの意図によって外観デザインを変えることのできるディスプレイ装置を提供するものである。
【０００９】
本発明の付加的な特徴及び実用性は、部分的に下記の説明で提示され、部分的にはその説明を通して明らかになるか、又は本発明の実施によって学習され得るものである。
【課題を解決するための手段】
【００１０】
本発明の一実施例によると、ディスプレイ装置は、画像を形成するディスプレイモジュールと、前記ディスプレイモジュールの側面に配置され、ディスプレイ装置の前面枠を形成するベゼル部と、前記ベゼル部に配置される発光体とを含み、前記発光体は、ユーザーが操作するユーザーインターフェース装置と連動して発光動作をする。
【００１１】
前記ベゼル部は、透明材料及び／又は半透明材料で形成することができる。
【００１２】
前記発光体は、光源として帯光源体と点光源体からなる群から選択された少なくとも一つを含むものである。
【００１３】
前記帯光源体は、ＥＬ（Ｅｌｅｃｔｒｏ  Ｌｕｍｉｎａｎｃｅ）シートと光繊維からなる群から選択された少なくとも一つを含むものである。
【００１４】
前記ベゼル部は、色調変化を示す半透明材料で形成される半透明部と、光の透過を容易にするために透明材料で形成された透明部とを含むことができる。半透明部は、透明部の前面に配置される。
【００１５】
前記半透明部は、光透過率差によって色調変化を誘導するために厚さ変化部を含む。
【００１６】
前記厚さ変化部の厚さは、前記ベゼル部の外側方向に行くほど徐々に減少し得る。
【００１７】
また、前記ディスプレイ装置は、前記ディスプレイモジュールの前面枠を覆う前面カバーと、前記ディスプレイモジュールの後面を覆う後面カバーとをさらに含み、前記ベゼル部は、前記前面カバーの外側を取り囲み、前記前面カバーと後面カバーとの間に配置され得る。
【００１８】
前記ベゼル部は、前記発光体から発光された光を前記ディスプレイ装置の前面に誘導するための反射面を含む。
【００１９】
前記ベゼル部は、前記発光体から発光された光が前記ディスプレイモジュールに到逹することを防止するための光遮断溝を含む。
【００２０】
前記前面カバーは、光を遮断するために不透明材料で形成する。
【００２１】
前記反射面は、前記発光体に隣接した第１の反射面と、前記第１の反射面から反射された光が反射される第２の反射面とを含む。
【００２２】
前記前面カバーと前記ベゼル部は、両面接着テープによって互いに結合することができる。
【００２３】
前記前面カバーと前記ベゼル部は、二重射出によって一体に成形することができる。
【００２４】
前記ユーザーインターフェース装置は、前記ディスプレイ装置に装着された操作パネルと、前記ディスプレイ装置との間で信号を送受信するリモートコントローラーとを含むことができる。
【００２５】
また、前記ディスプレイ装置は、前記ディスプレイ装置を操作するための情報をディスプレイモジュール上に表示するオンスクリーンディスプレイ（Ｏｎ  Ｓｃｒｅｅｎ  Ｄｉｓｐｌａｙ）部をさらに含み、前記発光体の発光動作は、前記オンスクリーンディスプレイ部を通して表示されたメニュー項目の選択によって選択することができる。
【００２６】
前記メニュー項目は、前記ディスプレイ装置に電源が供給される間に前記発光体が発光する第１のモードと、前記ディスプレイモジュールが動作する間に前記発光体が発光する第２のモードと、ユーザーによって前記ディスプレイ装置を操作するための信号が入力される度に前記発光体が一時的に点滅する第３のモードとを含むことができる。
【００２７】
また、本発明の実施例は、前面観察面で画面を露出させる開口を有するフレームと、光を発光するフレームに配置された発光体と、発光体から発光された光を外側に伝達するために前記フレームに取り囲まれたベゼル部と、前記発光体を制御するための制御部とを含む対話型ディスプレイ装置を提供する。
【００２８】
また、本発明の実施例は、画面を表示するディスプレイモジュールと、前記ディスプレイモジュールを支持するために配置されたフレームと、光を発光するために前記フレームに配置された発光体と、前記フレームの外側に前記光を露出させるために前記フレームに配置されたベゼル部と、前記ディスプレイモジュールを制御し、前記発光体の発光動作を変化させるために前記発光体を制御する制御部とを含むディスプレイ装置を提供する。
【発明の効果】
【００２９】
本発明に係るディスプレイ装置は、内部に発光体が配置されるベゼル部を含むことによって、ディスプレイ装置の外観デザインを向上させることができる。
【００３０】
また、発光体がユーザーの意図によって多様な形態で発光するので、ユーザーの要求に合う発光動作が行われる。
【００３１】
また、発光体の光源として帯光源体を使用することによって、ディスプレイ装置のコーナー部の発光動作も容易に行われる。
【図面の簡単な説明】
【００３２】
【図１】本発明の一実施例に係るディスプレイ装置の外観を示した斜視図である。
【図２】図１のディスプレイ装置の分解斜視図である。
【図３】図１のＩ―Ｉ線断面図である。
【図４】図１のディスプレイ装置の後面カバーが除去された状態を示した背面図である。
【図５】本発明の一実施例によってユーザーがリモートコントローラーを用いてディスプレイ装置を制御することを示した図である。
【図６】本発明の一実施例に係る発光体の動作を示したブロック図である。
【図７】図６の発光体の動作制御を示したフローチャートである。
【図８】オンスクリーンディスプレイ部を用いて発光体の発光モードを選択することを示した図である。
【図９】オンスクリーンディスプレイ部を用いて発光体の発光モードを選択することを示した図である。
【図１０】本発明の他の実施例に係るディスプレイ装置を示した断面図である。
【図１１】本発明の更に他の実施例に係るディスプレイ装置の断面図である。
【発明を実施するための形態】
【００３３】
以下では、本発明の実施例、添付の図面に示した例に対する詳細な参照を行う。ここで、全体的に同一の図面符号は同一の要素を示す。実施例は、図面を参照することによって本発明を説明するために下記で記載する。
【００３４】
図１は、本発明の一実施例に係るディスプレイ装置の外観を示した斜視図で、図２は、図１のディスプレイ装置の分解斜視図で、図３は、図１のＩ―Ｉ線断面図で、図４は、図１の後面カバーが除去されたディスプレイ装置の背面図である。
【００３５】
図１〜図４に示すように、ディスプレイ装置１０は、画像を表示するディスプレイモジュール１００と、前面カバー２００と後面カバー３００を含むフレーム１００ａと、ディスプレイモジュール１００の前方に配置される前面カバー２００と、ディスプレイモジュール１００の後方を覆う後面カバー３００と、前面カバー２００の外側を取り囲み、前面カバー２００と後面カバー３００との間に配置されるベゼル部４００とを含んで構成される。
【００３６】
前面カバー２００、ベゼル部４００及び後面カバー３００は、結合して収納空間１１を形成する。収納空間１１の内部には、ディスプレイモジュール１００を含んで各種部品が設置される。
【００３７】
本発明の一実施例で、ディスプレイ装置は液晶ディスプレイ装置であり、ディスプレイモジュール１００は、液晶を用いて画像を表示する表示パネル１１０と、表示パネル１１０に光を照射するバックライトアセンブリ１２０とを含む。
【００３８】
表示パネル１１０は、薄膜トランジスタ（Ｔｈｉｎ  Ｆｉｌｍ  Ｔｒａｎｓｉｓｔｏｒ、ＴＦＴ）基板１１１と、このＴＦＴ基板１１１と対向するカラーフィルター基板１１２と、ＴＦＴ基板１１１とカラーフィルター基板１１２との間に配置される液晶層（図示せず）とを含む。表示パネル１１０は、バックライトアセンブリ１２０から照射される光の透過率を調節することによって画像を表示する。
【００３９】
表示パネル１１０は、画像を表示する有効面１１０ａと、有効面１１０ａの外郭に配置される枠面１１０ｂとを含む。
【００４０】
バックライトアセンブリ１２０は、ボトムシャーシ１２１と、ボトムシャーシ１２１の内部に配置される各ランプ１２２と、各ランプ１２２から出射された光を表示パネル１１０側に反射させる反射板１２３とを含む。
【００４１】
表示パネル１１０とバックライトアセンブリ１２０との間には、バックライトアセンブリ１２０から照射される光の光学特性を向上させるための各光学シートが配置される。各光学シートは、拡散板１３０と集光シート１４０を含むことができる。拡散板１３０は、バックライトアセンブリ１２０から照射される光を拡散させ、輝度均一性を向上させる。集光シート１４０は、拡散板１３０によって拡散された光が表示パネル１１０に垂直に入射されるように光の方向を整列する。
【００４２】
また、表示パネル１１０とバックライトアセンブリ１２０との間にはミドルモールド１５０が配置される。光学シート１３０、１４０は、ミドルモールド１５０とボトムシャーシ１２１との間で支持される。
【００４３】
表示パネル１１０の前方にはベゼル部４００が配置され、表示パネル１１０は、ベゼル部４００とミドルモールド１５０との間で支持される。ベゼル部４００の前方には前面カバー２００が配置され、前面カバー２００は四角枠状に形成される。
【００４４】
表示パネル１１０の有効面１１０ａは、前面カバー２００に形成された開口２１０を介して外部に露出される。
【００４５】
図３に示すように、ベゼル部４００は、前面カバー２００と後面カバー３００との間及びディスプレイモジュール１００の側面に配置され、ディスプレイ装置１０の前面枠を形成する。
【００４６】
ベゼル部４００は、透明材料で形成するが、ＰＣ（ｐｏｌｙｃａｒｂｏｎａｔｅ）、ＰＭＭＡ（Ｐｏｌｙｍｅｔｈｌｙ  Ｍｅｔｈａｃｒｙｌａｔｅ）又はＡＢＳ（Ａｃｒｙｌｏｎｉｔｒｉｌｅ―Ｂｕｔａｄｉｅｎｅ―Ｓｔｙｒｅｎｅ）などのプラスチックを用いて成形することができる。
【００４７】
また、フレーム１００ａは、前面観察面と対向する画面の周囲に配置されたベゼル部を露出させるベゼル開口４０１を形成する少なくとも一つの面を含む。
【００４８】
ベゼル部４００は、フレームのベゼル開口内の第１の部分４０１と、発光体と対向するフレームに配置された第２の部分４０２と、第１の部分と第２の部分を連結する第３の部分４０３とを含む。第１の部分４０１は、前面カバー２００と後面カバー３００によって取り囲まれ、ディスプレイ装置の前面観察面のみに露出される。また、第１の部分４０１は、前面カバー２００と後面カバー３００によって取り囲まれ、図３に示すように、ディスプレイ装置の後面のみならず、前面観察面に向かって露出される。
【００４９】
ベゼル部４００の背面には装着溝４２５が四角枠状に形成され、装着溝４２５には発光体４２０が結合される。
【００５０】
本発明の一実施例に係る発光体４２０は、電源の供給を受けて光を発光する物体であって、光源として帯光源体を含む。すなわち、帯光源体は、一定の幅ｄを有する帯状に形成され、ベゼル部４００の装着溝４２５に嵌められる。
【００５１】
このような帯光源体は、ＥＬ（Ｅｌｅｃｔｒｏ  Ｌｕｍｉｎａｎｃｅ）シートと光繊維などの多様な種類の物質で形成することができ、この実施例では、帯光源体はＥＬシートで形成される。
【００５２】
ＥＬシートは、ＥＬ現象を用いた紙のように薄くかつ軽い発光シートであって、発光無機物質で形成することができる。
【００５３】
発光層となる蛍光体を透明なフィルムに塗布した後、交流電流が加えられると、電場によって蛍光体が迅速に充電及び放電される。このとき、電子の動きが光の形態で表れるが、このような現象をＥＬ（Ｅｌｅｃｔｒｏ  Ｌｕｍｉｎａｎｃｅ）という。
【００５４】
ＥＬシートは、厚さが３００ミクロン以下で非常に薄く、消費電力が発光ダイオードの３分の１程度に低く、面全体が発光するので、点発光方式であるＬＥＤに比べて光をより均一に供給する。また、ＥＬシートは、熱の発生がほとんどないので寿命が長く、曲げても損傷がないという長所を有する。
【００５５】
したがって、本発明の一実施例のように帯光源体をＥＬシートで形成すると、ベゼル部４００の四角枠全体から光が均一に発光され、ディスプレイ装置１０の外観デザインを向上させることができる。
【００５６】
この場合、ＥＬシートに塗布された蛍光体の色相を変更すると、発光体４２０は多様な色相の光を発光するようになる。
【００５７】
また、図４に示すように、ディスプレイ装置１０の四つのコーナー部でフレキシブルなＥＬシートを配置することによって、光が断絶されずに均一に発光される。
【００５８】
帯光源体を光繊維で形成することもできるが、この場合は、光繊維の表面にパターンを形成することが望ましい。光繊維の表面にパターンが形成されない場合、光繊維の内部の光が遮断されて外部に露出されないが、光繊維の表面にパターンが形成されると、パターンを通して光繊維の長さ全体にわたって発光が均一に行われる。
【００５９】
ベゼル部４００の外郭には、発光体４２０から発光された光をディスプレイ装置１０の前面に反射させる反射面４４０が形成される。この場合、光が密な媒質（ベゼル４００）から疎な媒質（空気）に進行するので、臨界角を用いた全反射を達成することができる。
【００６０】
すなわち、発光体４２０から発光された光が臨界角より大きい角度で反射面４４０に入射する。ベゼル部４００の素材によって屈折率が決定され、それによる臨界角が決定されると、発光体４２０から発光された光が臨界角より大きい角度で反射面に入射するように発光体４２０の位置及び反射面４４０の傾斜角度θを適宜調節する。
【００６１】
そうすると、発光体４２０から発光された光が臨界角より大きい角度で反射面４４０に入射するようになり、入射された光は、反射面４４０から全反射されてディスプレイ装置１０の前面に向かうようになる。
【００６２】
ベゼル部４００の内側には、発光体４２０から発光された光がディスプレイモジュール１００に到逹することを防止するための光遮断溝４６０が形成される。
【００６３】
発光体４２０から発光された光は、ディスプレイモジュール１００に形成される画像に影響を及ぼしてはならないので、発光体４２０から発光された光が光遮断溝４６０に到逹すると、光遮断溝４６０によって光の反射及び散乱を起こし、ディスプレイモジュール１００方向には光が進行しないようにする。
【００６４】
距離４４０ａは、前面カバー２００、後面カバー３００及びベゼル部４００の反射面４４０間の距離である。幅４００ａは、ディスプレイ装置１０の外周に沿って位置するベゼル部４００の部分の幅である。長さ４００ｂは、ディスプレイ装置１０の外周に沿って位置するベゼル部４００の部分の長さである。
【００６５】
ベゼル部４００の前面には前面カバー２００が結合される。
【００６６】
前面カバー２００は不透明材料で形成される。したがって、ディスプレイ装置１０を前面から見たとき、ベゼル部４００の発光体４２０から発光された光が外部に発光されるとしても、前面カバー２００を通して外部に光が露出されないので、ユーザーがディスプレイモジュール１００に形成された画像を視聴するときに問題が発生しない。
【００６７】
前面カバー２００とベゼル部４００は、両面接着テープ２０５によって互いに結合される。一方、前面カバー２００とベゼル部４００は一体に成形することもできるが、この場合、二重射出方式を用いることもできる。射出順序は、成形上の便宜によって決定される。
【００６８】
ディスプレイ装置１０内でベゼル部を支持するベゼル支持部５００は、ミドルモールド１５０、両面接着テープ２０５、前面カバー２００及び後面カバー３００を含む。
【００６９】
以下では、本発明の一実施例に係る発光体４２０の動作を説明する。
【００７０】
図５は、リモートコントローラーを用いてディスプレイ装置を制御するユーザーを示した図で、図６は、発光体の動作を示したブロック図で、図７は、発光体の動作制御を示したフローチャートで、図８及び図９は、オンスクリーンディスプレイ部を用いて発光体の発光モードを選択することを示した図である。
【００７１】
図５〜図７を参照して発光体４２０の動作を説明すると、発光体４２０の動作と関連して、ディスプレイ装置１０は、ユーザーインターフェース装置５１０、中央制御部５２０及び発光体駆動部５４０を含む。
【００７２】
図５〜図６に示すように、発光体４２０は、ユーザーインターフェース装置５１０と連動して発光動作を行う。ユーザーインターフェース装置５１０は、ユーザーからユーザー命令を受けるユーザーインターフェース部（図示せず）と、ユーザー命令に基づいて発光体４２０の発光動作を制御するための制御部（図示せず）とを含む。
【００７３】
制御部は、ディスプレイモジュールを操作するための情報をディスプレイモジュール上に表示するオンスクリーンディスプレイ部５３０を含み、発光体４２０の発光動作は、オンスクリーンディスプレイ部５３０を通して表示されるメニュー項目の選択によって選択される。
【００７４】
ユーザーが操作パネル２５０やリモートコントローラー２６０を操作してユーザー命令を入力する場合、ユーザーインターフェース装置５１０は、入力された値を中央制御部５２０に伝達する。中央制御部５２０は、ディスプレイ装置１０の全般的な制御動作を行う。中央制御部５２０は、ディスプレイ装置１０の画像及び音響形成と関連した動作のみならず、発光体４２０の動作も制御する。
【００７５】
中央制御部５２０は、ユーザー命令にしたがってオンスクリーンディスプレイ部５３０を活性化させる。
【００７６】
オンスクリーンディスプレイ部５３０は、画像機器の操作のための情報を画面上にディスプレイする。オンスクリーンディスプレイ部５３０のメニューディスプレイ方法によると、ユーザーが機能を選択するために操作パネル２５０及びリモートコントローラー２６０などの各入力装置を操作することによって、ディスプレイモジュール１００上に各メニュー項目が表示される。これら各メニュー項目は、ディスプレイ装置１０の機能を調整できる各項目を含む。続いて、ユーザーが操作パネル２５０又はリモートコントローラー２６０を用いてこれらメニュー項目のうち一つを選択すると、その選択されたメニュー項目の各サブ項目がディスプレイモジュール１００上に表示される。
【００７７】
オンスクリーンディスプレイ部５３０での発光体４２０の動作と関連したメニュー項目は、ディスプレイモジュール１００の動作とは関係なく、ディスプレイ装置１０に電源が供給されると発光体４２０が発光する第１のモードと、ディスプレイモジュール１００に画面が形成される間に発光体４２０が発光する第２のモードと、ユーザーによってディスプレイ装置１０を操作するための信号が入力される度に発光体４２０が一時的に点滅する第３のモードとを含む。
【００７８】
また、制御部は、点滅したりストロボライトとして機能する光を発光するために発光モードを変更することができる。また、発光体から発光された光の色相と強度は、ディスプレイ装置の環境に合わせて変更される。例えば、ディスプレイ装置が暗い環境にあると、ユーザーは光の強度を最小化することを望む。
【００７９】
オンスクリーンディスプレイ部５３０上でメニュー項目の設定が行われると、その信号は中央制御部５２０を通して発光体駆動部５４０に伝達される。
【００８０】
発光体駆動部５４０は、ディスプレイ装置１０に含まれている発光体４２０を駆動させる。発光体駆動部５４０は、中央制御部５２０から信号を受ける場合、発光体４２０を駆動させるようになる。
【００８１】
図７を参照して発光体４２０の動作制御を説明すると、まず、発光体４２０の動作が第１のモードに設定されているかどうかを判断する（Ｓ１０１）。発光体４２０の動作が第１のモードに設定されていると、発光体４２０を発光するように制御する（Ｓ１０４）。発光体４２０の動作が第１のモードに設定されていない場合、発光体４２０の動作が第２のモードに設定されているかどうかを判断する（Ｓ１０２）。発光体４２０の動作が第２のモードに設定されていると、ディスプレイモジュール１００が動作中であるかどうかを判断する（Ｓ１０３）。ディスプレイモジュール１００が動作している場合、発光体４２０を発光するように制御する（Ｓ１０５）。発光体４２０の動作が第２のモードに設定されていないか、ディスプレイモジュール１００が動作していない場合、発光体４２０は発光しなくなる（Ｓ１０６）。
【００８２】
その次に、発光体４２０の動作が第３のモードに設定されているかどうかを判断する（Ｓ１１０）。発光体４２０の動作が第３のモードに設定されていると、発光体４２０は、ユーザー信号が入力される度に一時的に点滅するように制御される（Ｓ１１１）。発光体４２０の点滅動作が終了したり、発光体４２０の動作が第３のモードに設定されていない場合は、元の動作状態（Ｓ１０４、Ｓ１０５、Ｓ１０６）に復帰するようになる。
【００８３】
第１のモードでは、ディスプレイモジュール１００が動作しないとしても発光体４２０は発光するので、ディスプレイ装置１０の外観デザインを向上させ、インテリア側面で装飾的な効果を発揮する。
【００８４】
第２のモードでは、ディスプレイモジュール１００が動作する場合のみに発光体４２０が発光するので、この場合は、発光体４２０がデザイン的な機能のみならず、ディスプレイ装置１０の動作可否を指示する指示機能まで有するようになる。
【００８５】
第３のモードでは、ユーザーが操作パネル２５０やリモートコントローラー２６０を操作して信号を入力する場合、発光体４２０がそれぞれ入力された信号に反応して一時的に点滅するようになるが、例えば、チャンネル変更信号が入力される場合、発光体４２０が発光するようになり、ユーザーに視覚的な満足感を与えるようになる。
【００８６】
そして、ユーザーがこのような動作を望まない場合、動作モードに設定しないことによって発光体４２０を発光させないこともできる。
【００８７】
このように、ユーザーは、オンスクリーンディスプレイ部５３０上のメニュー項目選択によって発光体４２０の発光動作を自由に制御できるようになる。
【００８８】
図８及び図９に示すように、発光体４２０の動作モードは、オンスクリーンディスプレイ部５３０上でオン（ＯＮ）、オフ（ＯＦＦ）操作によって選択することができる。
【００８９】
図８に示すように、第１のモードのみをオンにし、残りのモードを全くディスプレイさせないこともでき、この場合、発光体４２０は、ディスプレイモジュール１００の動作とは関係なく、ディスプレイ装置１０に電源が供給されていると、継続して発光するようになる。
【００９０】
また、図９に示すように、第１のモードと第２のモードはオフにし、第３のモードをオンにすることもできる。この場合、発光体４２０は、ユーザーによってディスプレイ装置１０を操作するための信号が入力される度に一時的に点滅するようになる。
【００９１】
図８及び図９に示したオンとオフの切り替えは、トグル（ｔｏｇｇｌｅ）切り替え方式で達成することができる。
【００９２】
以下では、本発明の他の実施例を図面を参照して説明する。以前に説明した一実施例と同一の部分についての説明は省略する。
【００９３】
図１０は、本発明の他の実施例に係るディスプレイ装置の断面図である。
【００９４】
この実施例に係るディスプレイ装置は、先に説明した一実施例に係るディスプレイ装置１０と同一の構成を有し、ベゼル部６００の構成のみが異なる。
【００９５】
前記ベゼル部６００は、色調変化を示す半透明材料で形成される半透明部６１０と、光の透過を容易にするために透明材料で形成された透明部６９０とを含む。半透明部６１０は透明部６９０の前面に配置される。
【００９６】
前記半透明部６１０は厚さ変化部６１５を含み、厚さ変化部６１５は半透明部６１０の光透過率を変化させる。
【００９７】
半透明部６１０は、相対的に厚い部分で光透過率が低いので、半透明部６１０の相対的に厚い部分で色相が暗い。一方、半透明部６１０は、相対的に薄い部分で光透過率が高いので、半透明部６１０の相対的に薄い部分で色相が明るい。したがって、厚さ変化部６１５で厚さが変化する方向や程度を適宜設計することによって、多様な形態の色調変化をディスプレイ装置の前面に表現することができる。
【００９８】
例えば、図１０のように厚さ変化部６１５の厚さがベゼル部６００の外側に行くほど減少すると、厚さ変化部６１５の色相はベゼル部６００の外側に行くほど漸次明るくなる。
【００９９】
しかし、厚さ変化部６１５の厚さがベゼル部６００の内側に行くほど減少すると、厚さ変化部６１５の色相はベゼル部６００の内側に行くほど漸次明るくなる。
【０１００】
また、厚さ変化部６１５の厚さを急激に変化させ、一部分のみを明るく変化させることもでき、厚さ変化部６１５の厚さを徐々に変化させ、自然な色調変化をディスプレイ装置の前面に表現することもできる。
【０１０１】
透明部６９０は、先に説明した一実施例と同様に、発光体６２０が結合される装着溝６２５、反射面６４０及び光遮断溝６６０を有する。
【０１０２】
そして、残りの構成及び発光体６２０の動作は、先に説明した一実施例と同一である。
【０１０３】
以下では、本発明の更に他の実施例を図面を参照して説明する。先に説明した実施例と同一の部分についての説明は省略する。
【０１０４】
図１１は、本発明の更に他の実施例に係るディスプレイ装置を示した断面図である。
【０１０５】
本発明の更に他の実施例に係るディスプレイ装置は、先に説明した実施例のディスプレイ装置１０と構成が同一であり、ベゼル部７００の構成のみが異なる。
【０１０６】
ベゼル部７００は、先に説明した実施例と比べると発光体７２０の位置が異なる。すなわち、発光体７２０が装着された装着溝７２５は、ベゼル部７００の下側に設置される。
【０１０７】
そして、ベゼル部７００は、発光体７２０に隣接した第１の反射面７８０と、第１の反射面７８０から反射された光が反射される第２の反射面７９０とを含む。第１の反射面７８０は発光体７２０の前面に配置され、第２の反射面７９０はベゼル部７００の外郭に配置される。
【０１０８】
発光体７２０から発光された光は、１次的に第１の反射面７８０から反射され、反射された光は、２次的に第２の反射面７９０から反射されてディスプレイ装置の前方に向かうようになる。この場合も、先に説明した本発明の実施例と同様に、臨界角の原理を用いた全反射を達成するために発光体７２０、第１の反射面７８０及び第２の反射面７９０が形成される。
【０１０９】
そして、ディスプレイ装置の他の構成及び発光体７２０の動作は、先に説明した実施例の場合と同一である。
【０１１０】
また、本発明は、コンピューター可読の媒体上のコンピューター可読のコードとして具現することができる。コンピューター可読の媒体は、コンピューター可読の記録媒体及びコンピューター可読の伝送媒体を含むことができる。コンピューター可読の記録媒体は、以後にコンピューターシステムによって読まれるプログラムとしてデータを格納できるデータ格納装置である。コンピューター可読の記録媒体の例は、ＲＯＭ（ｒｅａｄ―ｏｎｌｙ  ｍｅｍｏｒｙ）、ＲＡＭ（ｒａｎｄｏｍ―ａｃｃｅｓｓ  ｍｅｍｏｒｙ）、ＣＤ―ＲＯＭ、磁気テープ、フロッピー（登録商標）ディスク、光データ格納装置を含む。また、コンピューター可読の記録媒体は、コンピューター可読のコードが分散形態で格納されて実行されるようにネットワーク連結されたコンピューターシステムに分散され得る。コンピューター可読の伝送媒体は、搬送波又は信号（例えば、インターネットを介した有線又は無線データ伝送）を介して伝送され得る。また、本発明を達成するための機能的プログラム、コード及びコードセグメントは、本発明の熟練した技術を有するプログラマーによって容易に理解され得る。
【０１１１】
以上、本発明のいくつかの実施例を図示して説明したが、本発明の原理及び思想、特許請求の範囲及びその同等物で定義された範囲から逸脱しない限り、これら実施例をこの技術分野で通常の知識を有する者が変更可能であることを理解できるだろう。
【図１】
0005731491.tif 000002
【図２】
0005731491.tif 000003
【図３】
0005731491.tif 000004
【図４】
0005731491.tif 000005
【図５】
0005731491.tif 000006
【図６】
0005731491.tif 000007
【図７】
0005731491.tif 000008
【図８】
0005731491.tif 000009
【図９】
0005731491.tif 000010
【図１０】
0005731491.tif 000011
【図１１】
0005731491.tif 000012